(57)【要約】【課題】１つの押圧操作部材で蓋体を信頼性高く開閉操作でき、かつ、容易に製造できる開閉装置を提供すること。【解決手段】開閉装置の蓋体１を駆動手段３の変位に伴って開閉移動させるとともに、蓋体１が開閉移動するのに伴って駆動手段３が変位するようにする。また、駆動手段３に開伝達部材４と閉伝達部材５とを接続し、操作リンク部材６をスライド移動させて、押圧操作部材２および開伝達部材４と、押圧操作部材２および閉伝達部材５と、を操作リンク部材６を介して交互に接続する。さらに、戻し手段７を介して駆動手段３と操作リンク部材６とを接続し、駆動手段が変位するのに従動して操作リンク部材６を開接続位置または閉接続位置に移動させる。【選択図】図２
2009202681.tif 000002
【特許請求の範囲】
【請求項１】
収容空間を持つケース体に取り付けられ、該収容空間を開く開位置と該収容空間を閉じる閉位置との間を移動する蓋体と、
該ケース体に対して往復移動可能に取り付けられている押圧操作部材と、
該蓋体に接続され、閉駆動位置と開駆動位置との間を変位可能であり、該閉駆動位置から該開駆動位置に変位して該蓋体を開位置に駆動し、該開駆動位置から該閉駆動位置に変位して該蓋体を閉位置に駆動し、該蓋体が該開位置に移動すると該開駆動位置に変位し、該蓋体が該閉位置に移動すると該閉駆動位置に変位する駆動手段と、
該駆動手段に接続されている開伝達部材と、
該開伝達部材とは別体であり、該駆動手段に接続されている閉伝達部材と、
該押圧操作部材に接続されて該押圧操作部材と一体的に往復移動するとともに、該開伝達部材と該押圧操作部材とを接続する開接続位置と、該閉伝達部材と該押圧操作部材とを接続する閉接続位置と、の間をスライド移動する操作リンク部材と、
該操作リンク部材と該駆動手段とを接続し、該駆動手段の変位を該操作リンク部材に伝達する戻し手段と、を持ち、
該駆動手段は、該操作リンク部材が該開接続位置に配置されると該押圧操作部材の往復移動に従動して該開駆動位置に変位し、該操作リンク部材が該閉接続位置に配置されると該押圧操作部材の往復移動に従動して該閉駆動位置に変位し、
該戻し手段は、該駆動手段が該開駆動位置にまで変位すると該操作リンク部材を該開接続位置から該閉接続位置にスライド移動させ、該駆動手段が該閉駆動位置にまで変位すると該操作リンク部材を該閉接続位置から該開接続位置にスライド移動させることを特徴とする開閉装置。
【請求項２】
前記操作リンク部材はピン状をなし、
前記押圧操作部材は溝状をなす操作ガイド部を持ち、
前記操作リンク部材は前記戻し手段に保持され、かつ、該操作ガイド部の内部にスライド可能に保持されている請求項１に記載の開閉装置。
【請求項３】
前記戻し手段は溝状をなす戻しガイド部を持ち、
前記操作リンク部材は該戻しガイド部の内部にスライド可能に保持されている請求項２に記載の開閉装置。
【請求項４】
前記戻し手段は、前記操作リンク部材に接続され前記駆動手段に対して変位可能である戻し伝達部材と、弾性変形可能であり前記駆動手段と該戻し伝達部材とを連結する戻しリンク部材と、を持つ請求項１〜請求項３の何れか一つに記載の開閉装置。
【請求項５】
前記戻しリンク部材は巻きバネからなる請求項４に記載の開閉装置。
【発明の詳細な説明】
【技術分野】
【０００１】
本発明は、収容空間を持つケース本体に取り付けられ、収容空間を開閉する蓋体と、蓋体を開閉するための開閉手段と、を持つ開閉装置に関する。
【背景技術】
【０００２】
開閉装置は、自動車のコンソールボックス等に代表される収容装置に配設される装置である。開閉装置は、収容装置の一部を構成するケース本体の収容空間を開閉する。この種の開閉装置としては、従来から種々のものが知られている。開閉装置には、蓋体を開閉動作させるための開閉手段を設けるのが一般的である（例えば、特許文献１参照）。
【０００３】
特許文献１に紹介されている従来の開閉装置は、蓋体と、蓋体を開閉動作させる為の開閉手段を持つ。この開閉手段は、蓋体を開操作するための押圧操作部材（開釦）と、蓋体を閉操作するための押圧操作部材（閉釦）とを持つ。開釦と閉釦とは別体である。このため、この種の開閉装置では、ユーザーが手探りで開閉操作し難い問題があった。
【０００４】
本出願人らは、一つの押圧操作部材で２つのスイッチ体を切り換え操作できる切り換え構造体を出願した（特許文献２参照）。特許文献２に開示されている切り換え構造体を、特許文献に開示されている開閉装置に取り付ければ、一つの押圧操作部材で蓋体を開閉操作できる。しかしこの場合には、開閉装置の構造が複雑になる。このため蓋体を信頼性高く開閉操作するためには、開閉装置の各部材を寸法精度高く形成するとともに精度高く組み付ける必要があり、開閉装置の製造コストが高くなる問題があった。
【特許文献１】特開２００２−３６２２３７号公報
【特許文献２】特開２００６−２１０３１３号公報
【発明の開示】
【発明が解決しようとする課題】
【０００５】
本発明は上記事情に鑑みて成されたものであり、１つの押圧操作部材で蓋体を信頼性高く開閉操作でき、かつ、容易に製造できる開閉装置を提供することを目的とする。
【課題を解決するための手段】
【０００６】
上記課題を解決する本発明の開閉装置は、収容空間８１を持つケース体８０に取り付けられ、該収容空間８１を開く開位置と該収容空間８１を閉じる閉位置との間を移動する蓋体１と、該ケース体８０に対して往復移動可能に取り付けられている押圧操作部材２と、該蓋体１に接続され、閉駆動位置と開駆動位置との間を変位可能であり、該閉駆動位置から該開駆動位置に変位して該蓋体１を開位置に駆動し、該開駆動位置から該閉駆動位置に変位して該蓋体１を閉位置に駆動し、該蓋体１が該開位置に移動すると該開駆動位置に変位し、該蓋体１が該閉位置に移動すると該閉駆動位置に変位する駆動手段３と、該駆動手段３に接続されている開伝達部材４と、該開伝達部材４とは別体であり、該駆動手段３に接続されている閉伝達部材５と、該押圧操作部材２に接続されて該押圧操作部材２と一体的に往復移動するとともに、該開伝達部材４と該押圧操作部材２とを接続する開接続位置と、該閉伝達部材５と該押圧操作部材２とを接続する閉接続位置と、の間をスライド移動する操作リンク部材６と、該操作リンク部材６と該駆動手段３とを接続し、該駆動手段３の変位を該操作リンク部材６に伝達する戻し手段７と、を持ち、該駆動手段３は、該操作リンク部材６が該開接続位置に配置されると該押圧操作部材２の往復移動に従動して該開駆動位置に変位し、該操作リンク部材６が該閉接続位置に配置されると該押圧操作部材２の往復移動に従動して該閉駆動位置に変位し、該戻し手段７は、該駆動手段３が該開駆動位置にまで変位すると該操作リンク部材６を該開接続位置から該閉接続位置にスライド移動させ、該駆動手段３が該閉駆動位置にまで変位すると該操作リンク部材６を該閉接続位置から該開接続位置にスライド移動させることを特徴とする。
【０００７】
本発明の開閉装置は、下記の構成（１）〜（４）の何れかを備えるのが好ましい。構成（１）〜（４）の複数を備えるのがさらに好ましい。
【０００８】
（１）前記操作リンク部材６はピン状をなし、前記押圧操作部材２は溝状をなす操作ガイド部２５を持ち、前記操作リンク部材６は該操作ガイド部２５の内部にスライド可能に保持されている。
【０００９】
（２）前記戻し手段７は溝状をなす戻しガイド部７００を持ち、前記操作リンク部材６は該戻しガイド部７００の内部にスライド可能に保持されている。
【００１０】
（３）前記戻し手段７は、前記操作リンク部材６に接続され前記駆動手段３に対して変位可能である戻し伝達部材７０と、弾性変形可能であり前記駆動手段３と該戻し伝達部材７０とを連結する戻しリンク部材７１と、を持つ。
【００１１】
（４）前記戻しリンク部材７１は巻きバネからなる。
【発明の効果】
【００１２】
特許文献２に開示されている切り換え構造体は、押圧操作部材の往復移動に伴って傾動し、２つのスイッチ体を交互に押圧する傾動部材を持つ。このような傾動部材によってスイッチ体を信頼性高く押圧するためには、傾動部材の傾動角度や、傾動部材とスイッチ体との配置位置を精度高く制御する必要があり、これらの部材を精度高く位置決めする必要がある。
【００１３】
これに対して本発明の開閉装置は、押圧操作部材の往復移動を駆動手段に伝達するための部材として、操作リンク部材と開伝達部材と閉伝達部材とを持つ。操作リンク部材は押圧操作部材に接続されている。また、開伝達部材と閉伝達部材とは、駆動手段に接続されている。このため、本発明の開閉装置によると、操作リンク部材と開伝達部材と閉伝達部材とを、開閉装置の各部材を組み付ける際に精度高く位置決めできる。よって、本発明の開閉装置は蓋体を信頼性高く開閉操作でき、かつ、容易に製造できる。
【００１４】
また、操作リンク部材は、押圧操作部材と一体的に往復移動するとともに、開接続位置と閉接続位置との間をスライド移動する。スライド移動する操作リンク部材は、傾動する操作リンク部材に比べて安定して動作する。このため、操作リンク部材に要求される寸法精度は比較的低い。このことによっても、本発明の開閉装置は蓋体を信頼性高く開閉操作でき、かつ、容易に製造できる。
【００１５】
なお、本発明の開閉装置は、開伝達部材と閉伝達部材とを交互に押圧操作部材に接続する操作リンク部材を持つ。このため、本発明の開閉装置によると、一つの押圧操作部材によって蓋体を開閉操作できる。
【００１６】
また、本発明の開閉装置は、戻し手段を持つ。戻し手段は、駆動手段が開駆動位置にまで変位すると操作リンク部材を閉接続位置に移動させ、駆動手段が閉駆動位置にまで変位すると操作リンク部材を開接続位置に移動させる。このため、蓋体が開位置に配置されているときには操作リンク部材は常に閉接続位置に配置され、蓋体が閉位置に配置されているときには操作リンク部材は常に開接続位置に配置される。よって、本発明の開閉装置によると、一つの押圧操作部材によって蓋体を信頼性高く開閉操作できる。
【００１７】
さらに、戻し手段は蓋体を開閉操作している途中には操作リンク部材を移動させない。このため操作リンク部材は、開伝達部材や閉伝達部材に干渉しない。よって、実施例の開閉装置はさらに信頼性高く動作する。
【００１８】
また、本発明の開閉装置における戻し手段は、蓋体が開位置に移動すると操作リンク部材を閉接続位置に移動させ、蓋体が開位置に移動すると操作リンク部材を閉接続位置に移動させる。このため、ユーザーが蓋体を手で持って開閉しても、その後に押圧操作部材によって蓋体を開閉操作できる。よって、本発明の開閉装置は、ユーザーの使用状態を問わず、信頼性高く動作する。
【００１９】
上記（１）〜（４）の何れかを備える本発明の開閉装置は、簡単な構造からなり、かつ、信頼性高く動作する。
【発明を実施するための最良の形態】
【００２０】
以下、本発明の開閉装置を図面を基に説明する。
（実施例）
実施例の開閉装置は、自動車のコンソールボックスに配設されるものである。実施例の開閉装置は、上記構成（１）〜（４）を備える。実施例の開閉装置の主要構成部材を模式的に表す分解斜視図を図１に示す。実施例の開閉装置の動作を模式的に表す説明図を図２〜図１０に示す。なお、図２および図４〜図１０は、実施例の開閉装置を図１に示す前側から見た様子を表す。図３は実施例の開閉装置を図１に示す後側から見た様子を表す。以下、実施例において上、下、左、右、前、後とは図１に示す上、下、左、右、前、後を指す。また、実施例において時計回り、反時計回りとは、図２における時計回り、反時計回りを指す。
【００２１】
実施例の開閉装置は、蓋体１と、押圧操作部材２と、駆動手段３と、開伝達部材４と、閉伝達部材５と、操作リンク部材６と、戻し手段７とを持つ。
【００２２】
駆動手段３は、蓋駆動部材３０と、付勢部材３１と、第１連絡部材３２と、第２連絡部材３３とを持つ。
【００２３】
図１に示すように、コンソールボックスはケース体８０を持つ。ケース体８０は上方に開口する箱状をなす。収容空間８１はケース体８０の内部に形成されている。
【００２４】
実施例の開閉装置における蓋体１は、第１蓋体１１と第２蓋体１２とからなる。第１蓋体１１および第２蓋体１２は、それぞれ、ケース体８０の前後方向に延設されている。第１蓋体１１は左側に配置され、第２蓋体１２は右側に配置されている。第１蓋体１１は、長尺板状をなす蓋本体１１０と、蓋本体１１０の長手方向の２端部に形成されている脚部１１１とを持つ。第２蓋体１２も同様に、蓋本体１２０と脚部１２１とを持つ。第１蓋体１１の脚部１１１および第２蓋体１２の脚部１２１は、ケース体８０に枢支されている。第１蓋体１１および第２蓋体１２は、蓋本体１１０、１２０が収容空間８１を閉じる閉位置（図２）と、蓋本体１１０、１２０が収容空間８１を開く開位置（図７）との間を回動する。
【００２５】
第２蓋体１２の２つの脚部１２１（第２前脚部１２２、第２後脚部１２３）の下端部はギヤ状をなす。第１蓋体１１の後側の脚部１１１（第１後脚部１１２）の下端部もまたギヤ状をなす。図３に示すように、第２蓋体１２の第２後脚部１２３と、第１蓋体１１の第１後脚部１１２とは、２つの蓋接続ギヤ８２、８３を介して接続されている。また、第２蓋体１２の第２後脚部１２３には、第１蓋体１１および第２蓋体１２を緩やかに回動させるためのダンパ（図略）が接続されている。
【００２６】
図１に示すように、ケース体８０の前壁には操作保持部８４が形成されている。操作保持部８４は上方に向けて開口する枠状をなす。
【００２７】
押圧操作部材２は、略柱状の押圧端２０と押圧端２０の下方に一体化されている２つの保持部２１、２２とを持つ。保持部２１、２２は、略板状をなし、互いに対面しつつ前後方向に離間している。押圧端２０は操作保持部８４に挿通され、保持部２１、２２は操作保持部８４の下方に露出している。２つの保持部２１、２２には、それぞれ、操作ガイド部２５が形成されている。操作ガイド部２５は左右方向に延びる溝状をなす。押圧操作部材２は、押圧開始位置（図２）と押圧停止位置（図４）との間を上下にスライド移動する。押圧開始位置において、押圧端２０は操作保持部８４の上方に張り出す。押圧停止位置において、押圧端２０は操作保持部８４の内部に引っ込む。
【００２８】
図１に示すように、操作リンク部材６はピン状をなす。操作リンク部材６は、図２に示すように操作ガイド部２５に挿入されている。操作リンク部材６は、操作ガイド部２５の左端部に配置される開接続位置（図２）と、操作ガイド部２５の右端部に配置される閉接続位置（図７）との間をスライド移動する。
【００２９】
図１に示すように、開伝達部材４および閉伝達部材５は、それぞれ略板状をなす。開伝達部材４と閉伝達部材５とは、左右方向に配列し、押圧操作部材２の２つの保持部２１、２２に挟み込まれている。開伝達部材４は左方に配置され、閉伝達部材５は右方に配置されている。開伝達部材４の右側部分には切れ込み状の開入力部４０が形成されている。閉伝達部材５の左側部分には、切れ込み状の閉入力部５０が形成されている。開入力部４０と閉入力部５０と左右対称な形状をなし、開口端を対面させている。開入力部４０および閉入力部５０は操作ガイド部２５に対応する位置に配置されている。開伝達部材４の左側と閉伝達部材５の右側とには、それぞれ、巻きバネからなる伝達付勢部材８５が取り付けられている。一方の伝達付勢部材８５は開伝達部材４を上方向に付勢し、他方の伝達付勢部材８５は閉伝達部材５を上方向に付勢している。また、２つの伝達付勢部材８５が開伝達部材４と閉伝達部材５とを上方に付勢しているため、開伝達部材４および閉伝達部材５を挟み込む押圧操作部材２もまた、上方に付勢されている。開伝達部材４の下端部には後述する駆動手段３の第１連絡部材３２が枢支されている。また、閉伝達部材５の下端部には、後述する駆動手段３の第２連絡部材３３が枢支されている。
【００３０】
図１に示すように、戻し手段７は、戻し伝達部材７０と、戻しリンク部材７１とを持つ。戻し伝達部材７０は、略棹状をなす。戻し伝達部材７０の一端部には略三角形の溝状をなす戻しガイド部７００が形成されている。操作リンク部材６は、この戻しガイド部７００に挿通され、スライド可能に保持されている。戻し伝達部材７０の略中央部はケース体８０に枢支されている。戻しリンク部材７１は巻きバネからなる。戻しリンク部材７１の一端部は戻し伝達部材７０の他端部（戻しガイド部７００と逆側の端部）に固着されている。戻しリンク部材７１の他端部は後述する駆動手段３の戻し出力部３０２に固着されている。
【００３１】
図１に示すように、第１連絡部材３２と第２連絡部材３３とは、それぞれ略腕状をなす。第１連絡部材３２の上端右側部分と第２連絡部材３３の上端左側部分とは、ケース体８０に枢支されている。図２に示すように、第１連絡部材３２の下部分は右方に湾曲している。第２連絡部材３３の下部分は左方に湾曲している。第１連絡部材３２の湾曲端面（第１押圧面３２０）と第２連絡部材３３の湾曲端面（第２押圧面３３０）とは、互いに対向しつつ離間している。
【００３２】
蓋駆動部材３０は、扇状をなすギヤ部３００と、扇状をなす入力部３０１と、略短冊状をなす戻し出力部３０２と、を持つ。入力部３０１とギヤ部３００と戻し出力部３０２とは一体化され、ケース体８０に枢支されている。ギヤ部３００は第２蓋体１２の第２前脚部１２２の下端部と噛合する。入力部３０１には直線状に延びる長溝３０４が形成されている。
【００３３】
蓋駆動部材３０は、枢支軸を中心として、開駆動位置（図７）と閉駆動位置（図２）との間を回動する。また、蓋駆動部材３０が回動する際の長溝３０４の軌跡は、第１連絡部材３２が回動する際の第１押圧面３２０の軌跡、および、第２連絡部材３３が回動する際の第２押圧面３３０の軌跡と交叉している。
【００３４】
入力部３０１の長溝３０４には、ターンオーバースプリングからなる付勢部材３１の一端（スライド端部３１０）が挿通されている。付勢部材３１の他端（回動端部３１１）はケース体８０に枢支されている。付勢部材３１は、回動端部３１１を中心に、開付勢位置（図７）と閉付勢位置（図２）との間を回動する。付勢部材３１は、閉付勢位置から開付勢位置に回動する際に蓋駆動部材３０を開駆動位置に付勢し、開付勢位置から閉付勢位置に回動する際に蓋駆動部材３０を閉駆動位置に付勢する。スライド端部３１０は、第１連絡部材３２の第１押圧面３２０と第２連絡部材３３の第２押圧面３３０との間に配置されている。
【００３５】
実施例１の開閉装置は、以下のように動作する。
【００３６】
（１．蓋体の開操作）
図２に示すように、第１蓋体１１および第２蓋体１２が閉位置に配置され、押圧操作部材２が押圧開始位置に配置されている時には、押圧操作部材２、開伝達部材４および閉伝達部材５は上方に付勢されている。このとき、開入力部４０の底壁と、閉入力部５０の底壁とは、操作ガイド部２５の底壁とほぼ一致した位置に配置されている。また、開入力部４０の上壁と、閉入力部５０の上壁とは、操作ガイド部２５の上壁とほぼ一致した位置に配置されている。操作リンク部材６は、開接続位置に配置されるとともに、開入力部４０の内部に配置されている。また、操作リンク部材６は、戻しガイド部７００の頂部に配置されている。戻し伝達部材７０のなかで戻しリンク部材７１を保持している部分（戻し側リンク保持部７０１）と、戻し入力部３０１のなかで戻しリンク部材７１を保持している部分（駆動側リンク保持部３０５）とは、ほぼ同位置に配置され、戻しリンク部材７１は伸縮していない状態にある。また、蓋駆動部材３０は閉駆動位置に配置され、付勢部材３１は閉付勢位置に配置されている。第１連絡部材３２の第１押圧面３２０は入力部３０１の長溝３０４よりも左側に配され、第２連絡部材３３の第２押圧面３３０は入力部３０１の長溝３０４よりも右側に配置されている。実施例の開閉装置における駆動手段３は、このとき閉駆動位置に配置されている。
【００３７】
このとき、押圧操作部材２を下方に押圧すると、図４に示すように、押圧操作部材２が下方に移動する。すると、押圧操作部材２に取り付けられている操作リンク部材６もまた、押圧操作部材２と一体的に下方に移動する。すると、操作リンク部材６が開入力部４０の底壁を下方に押圧し、開伝達部材４が下方に移動する。すると、開伝達部材４に枢支されている第１連絡部材３２が反時計回りに回動し、第１押圧面３２０が付勢部材３１のスライド端部３１０を右方に押圧する。スライド端部３１０は、蓋駆動部材３０（入力部３０１）の長溝３０４を右方にスライドする。このため、付勢部材３１は圧縮して付勢力を蓄積する。
【００３８】
押圧操作部材２を押圧停止位置にまで押圧すると、スライド端部３１０が所定位置よりも右方に移動する。すると、図５に示すように、付勢部材３１は開付勢位置に向けて時計回りに回動し、付勢力を放出する。付勢部材３１に付勢された蓋駆動部材３０は、枢支軸を中心として反時計回りに回動する。蓋駆動部材３０のギヤ部３００は、第２蓋体１２の第２前脚部１２２と噛合している。このため、蓋駆動部材３０が反時計回りに回動すると、第２蓋体１２が時計回りに回動する。また、図３に示すように、第１蓋体１１の第１後脚部１１２は、２つの蓋接続ギヤ８２、８３を介して第２蓋体１２の第２後脚部１２３と接続されている。このため、第２蓋体１２が時計回りに回動すると、第１蓋体１１が反時計回りに回動する。したがって、第１蓋体１１および第２蓋体１２は、閉位置から開位置に向けて回動する。なお、このとき、戻し伝達部材７０は移動しない。このため、戻し側リンク保持部７０１と駆動側リンク保持部３０５とは位置ズレし、戻しリンク部材７１は弾性変形する。
【００３９】
図６に示すように、付勢部材３１が開付勢位置にまで回動すると、蓋駆動部材３０は開駆動位置に配置されて回動を停止する。第１蓋体１１および第２蓋体１２は、開位置に配置される。実施例の開閉装置における駆動手段３は、このとき開駆動位置に配置される。
【００４０】
このとき戻しリンク部材７１は大きく弾性変形（伸び変形）している。このため戻しリンク部材７１は、縮んで元の形状に戻り、戻し側リンク保持部７０１を駆動側リンク保持部３０５に向けて引っ張る。すると、図７に示すように、戻し伝達部材７０が時計回りに回動して、操作リンク部材６を右側に押圧する。操作リンク部材６は、戻しガイド部７００の左壁を滑りつつ操作ガイド部２５の内部を右側にスライド移動する。なお、開伝達部材４、閉伝達部材５および押圧操作部材２は、伝達付勢部材８５によって上方に付勢されている。このため、押圧操作部材２への押圧を停止すると開伝達部材４、閉伝達部材５および押圧操作部材２は上方に移動する。すると、開入力部４０の底壁と閉入力部５０の底壁とは操作ガイド部２５の底壁とほぼ一致した位置に配置される。そして、開入力部４０の上壁と、閉入力部５０の上壁とは、操作ガイド部２５の上壁とほぼ一致した位置に配置される。したがって、このとき操作リンク部材６は開入力部４０から出て、閉入力部５０に入り込み、閉接続位置に配置される。
【００４１】
（２．蓋体の閉操作）
図７に示すように、第１蓋体１１および第２蓋体１２が開位置に配置され、押圧操作部材２が押圧開始位置に配置されている時に、押圧操作部材２を下方に押圧すると、図８に示すように、押圧操作部材２に取り付けられている操作リンク部材６が押圧操作部材２と一体に下方に移動する。すると、操作リンク部材６が閉入力部５０の底壁を下方に押圧し、閉伝達部材５が下方に移動する。すると、閉伝達部材５に枢支されている第２連絡部材３３が時計回りに回動し、第２押圧面３３０が付勢部材３１のスライド端部３１０を左方に押圧する。スライド端部３１０は、入力部３０１の長溝３０４を左方にスライドする。このため、付勢部材３１は圧縮して付勢力を蓄積する。
【００４２】
図９に示すように、押圧操作部材２を押圧停止位置にまで押圧し、スライド端部３１０が所定位置よりも左方に移動すると、付勢部材３１は閉付勢位置に向けて反時計回りに回動し、付勢力を放出する。
【００４３】
図１０に示すように、このとき、付勢部材３１に付勢された蓋駆動部材３０は、枢支軸を中心として時計回りに回動する。このため、第２蓋体１２および第１蓋体１１は反時計回りに回動して、開位置から閉位置に向けて移動する。このとき、戻し伝達部材７０は移動しないため、戻し側リンク保持部７０１と駆動側リンク保持部３０５とは位置ズレして、戻しリンク部材７１が弾性変形する。
【００４４】
付勢部材３１が閉付勢位置にまで回動すると、蓋駆動部材３０は回動を停止する。すると、戻しリンク部材７１は戻し側リンク保持部７０１を駆動側リンク保持部３０５に向けて引っ張る。すると、戻し伝達部材７０が反時計回りに回動して、操作リンク部材６を左側に押圧する。操作リンク部材６は、戻しガイド部７００の右壁を滑りつつ操作ガイド部２５の内部を左側にスライド移動する。すると、操作リンク部材６は閉入力部５０から出て、開入力部４０に入り込み、開接続位置に配置される（図２）。
【００４５】
実施例の開閉装置は、開伝達部材４と閉伝達部材５とが駆動手段３（第１連絡部材３２、第２連絡部材３３）に接続され、かつ、操作リンク部材６が開接続位置と閉接続位置との間をスライド移動する。このため実施例の開閉装置は信頼性高く動作して蓋体１を開閉する。このため、実施例の開閉装置は容易かつ精度高く製造できる。
【００４６】
また、開伝達部材４の開入力部４０と閉伝達部材５の閉入力部５０とは、押圧操作部材２と重なり合っている。このため、開伝達部材４、閉伝達部材５、および押圧操作部材２は近接している。したがって押圧操作部材２の往復移動を、開入力部４０および閉入力部５０に信頼性高く伝達できる。このことによっても実施例の開閉装置は容易かつ精度高く製造できる。
【００４７】
さらに、実施例の開閉装置における戻し手段７は、駆動手段３が開駆動位置にまで変位すると操作リンク部材６を閉接続位置に移動させ、駆動手段３が閉駆動位置にまで変位すると操作リンク部材６を開接続位置に移動させる。換言すると、駆動手段３の動作と、戻し手段７が操作リンク部材６を移動させる動作とには時間差がある。したがって操作リンク部材６は、蓋体１を開閉操作している途中には、開伝達部材４や閉伝達部材５に干渉しない。よって、実施例の開閉装置はさらに信頼性高く動作する。
【００４８】
さらに、実施例の開閉装置における駆動手段３は、蓋体１が開位置に移動すると開駆動位置に変位し、蓋体１が閉位置に移動すると閉駆動位置に変位する。また、戻し手段７は、駆動手段３が開駆動位置にまで変位すると操作リンク部材６を閉接続位置に移動させ、駆動手段３が開駆動位置にまで変位すると操作リンク部材６を閉接続位置に移動させる。このため、ユーザーが蓋体１を直接手で持って開操作しても、操作リンク部材６は閉接続位置に移動する。したがって、その後押圧操作部材２を押圧操作する際には、操作リンク部材６は閉伝達部材５と押圧操作部材２とを接続するため、駆動手段３は蓋体１は閉位置に駆動する。同様に、ユーザーが蓋体１を直接手で持って閉操作した場合にも、操作リンク部材６は開伝達部材４と押圧操作部材２とを接続するため、駆動手段３は蓋体１は開位置に駆動する。よって、実施例の開閉装置は、ユーザーの使用状態を問わず、信頼性高く動作する。
【００４９】
実施例の開閉装置は２つの蓋体１（第１蓋体１１、第２蓋体１２）を持つが、本発明の開閉装置における蓋体１は１つのみであっても良い。実施例の開閉装置では、蓋体１が回動して収容空間８１を開閉するが、その他の方法で収容空間８１を開閉しても良い。例えば、蓋体１はスライド移動して収容空間８１を開閉しても良い。この場合には、蓋体１にラックを形成し、このラックとギヤ部３００とを噛合わせればよい。
【００５０】
押圧操作部材２は上下動するものに限らない。例えば、押圧操作部材２として左右方向や前後方向にスライド移動するものを用いても良い。この場合には、開伝達部材４、閉伝達部材５、および駆動手段３を、押圧操作部材２の移動方向に沿って配設すれば良い。
【００５１】
駆動手段３は、閉駆動位置から開駆動位置に変位するとともに蓋体１を開位置に駆動し、開駆動位置から閉駆動位置に変位するとともに蓋体１を閉位置に駆動し、蓋体１が開位置に移動すると開駆動位置に変位し、蓋体１が閉位置に移動すると閉駆動位置に変位するものであれば良く、実施例の構造に限定されない。例えば、ラックアンドピニオン機構や複数のギヤ群によって、蓋体１を駆動しても良い。
【図面の簡単な説明】
【００５２】
【図１】実施例１の開閉装置の主要構成部材を模式的に表す分解斜視図である。
【図２】実施例１の開閉装置の動作を模式的に表す説明図である。
【図３】実施例１の開閉装置の動作を模式的に表す説明図である。
【図４】実施例１の開閉装置の動作を模式的に表す説明図である。
【図５】実施例１の開閉装置の動作を模式的に表す説明図である。
【図６】実施例１の開閉装置の動作を模式的に表す説明図である。
【図７】実施例１の開閉装置の動作を模式的に表す説明図である。
【図８】実施例１の開閉装置の動作を模式的に表す説明図である。
【図９】実施例１の開閉装置の動作を模式的に表す説明図である。
【図１０】実施例１の開閉装置の動作を模式的に表す説明図である。
【符号の説明】
【００５３】
１、１１、１２：蓋体      ２：押圧操作部材          ３：駆動手段
４：開伝達部材            ５：閉伝達部材            ６：操作リンク部材
７：戻し手段              ２５：操作ガイド部        ３０：蓋駆動部材        
３１：付勢部材            ３２：第１連絡部材        ３３：第２連絡部材      
４０：開入力部            ５０：閉入力部            ７０：戻し伝達部材
７１：戻しリンク部材      ８０：ケース体            ８１：収容空間
３００：ギヤ部            ３０１：入力部            ３０２：戻し出力部
３０４：長溝              ３２０：第１押圧面        ３３０：第２押圧面
７００：戻しガイド部
【図１】
2009202681.tif 000003
【図２】
2009202681.tif 000004
【図３】
2009202681.tif 000005
【図４】
2009202681.tif 000006
【図５】
2009202681.tif 000007
【図６】
2009202681.tif 000008
【図７】
2009202681.tif 000009
【図８】
2009202681.tif 000010
【図９】
2009202681.tif 000011
【図１０】
2009202681.tif 000012